(57)【特許請求の範囲】
【請求項１】
データ送信方法であって、前記方法は、
ネットワーク側が、多種類の論理チャネルを同一伝送チャネルにマッピングする時に必要な多種類の変調・符号化方式ＭＣＳを確定し、また、論理チャネルとＭＣＳとの対応関係を端末に通知するステップと、
ネットワーク側が、前記必要なＭＣＳにより、当該伝送チャネルにマッピングされた論理チャネルのデータを変調・符号化した後、前記伝送チャネルにより端末に送信するステップと、
を含み、
前記論理チャネルとＭＣＳとの対応関係を端末に通知するステップは、
ネットワーク側が、同一伝送チャネルにマッピングされた多種類の論理チャネル中の１種または多種類の特定論理チャネルを確定することと、
ネットワーク側が報知制御チャネルＢＣＣＨにより、前記特定論理チャネルとＭＣＳ又はＭＣＳのインデックスとの対応関係を端末に送信し、また、ＢＣＣＨにより前記特定論理チャネルのＴＤＭ周期と、オフセットとを送信することと、
ネットワーク側が前記特定論理チャネルにより、当該特定論理チャネル以外の、同一伝送チャネルにマッピングされた各種論理チャネルとＭＣＳとの対応関係を端末に送信することと、
を含むことを特徴とするデータ送信方法。
【請求項２】
ネットワーク側が前記伝送チャネルにより、前記多種類の論理チャネルのデータを端末に送信する前に、
更にネットワーク側が、前記多種類の論理チャネルにそれぞれ占用されたサブフレーム数及び／又はサブフレーム番号を、端末に通知することを含むことを特徴とする請求項１に記載の方法。
【請求項３】
前記ネットワーク側が前記必要なＭＣＳにより、当該伝送チャネルにマッピングされた論理チャネルのデータを変調・符号化するステップは、
時分割多重化ＴＤＭ方式で前記多種類の論理チャネルのデータを送信する場合、前記ネットワーク側が各種論理チャネルのデータに対して、対応するＭＣＳで変調・符号化を行うことと、
ＴＤＭに基づく伝送ブロック多重化方式で前記多種類の論理チャネルのデータを送信する場合、前記ネットワーク側が、同一サブフレームにより送信された多種類の論理チャネルのデータに対して、当該多種類の論理チャネルにそれぞれ対応するＭＣＳ中の最も高い信頼性を持つＭＣＳで、変調・符号化を行い、個別サブフレームにより送信された１種の論理チャネルのデータに対して、当該論理チャネルに対応するＭＣＳで変調・符号化を行うことと、
を含むことを特徴とする請求項１、又は２に記載の方法。
【請求項４】
前記論理チャネルとＭＣＳとの対応関係は、論理チャネルとＭＣＳのインデックスとの対応関係により示される、ことを特徴とする請求項１、２又は３に記載の方法。
【請求項５】
データ受信方法であって、前記方法は、
端末が、ネットワーク側に通知された、且つ同一伝送チャネルにマッピングされた多種類の論理チャネル中の論理チャネルとＭＣＳとの対応関係を取得することと、
端末が、前記論理チャネルとＭＣＳとの対応関係に基づき、前記伝送チャネルにマッピングされた論理チャネルに対応するＭＣＳを確定することと、  
端末が、確定されたＭＣＳに基づき、対応する論理チャネルのデータを復調・復号することと、
を含み、
端末がネットワーク側に通知された、且つ同一伝送チャネルにマッピングされた多種類の論理チャネル中の論理チャネルとＭＣＳとの対応関係を取得することは、
端末が報知制御チャネルＢＣＣＨにより、ネットワーク側に確定された特定論理チャネルとＭＣＳとの対応関係を取得するともに、前記特定論理チャネルのＴＤＭ周期と、オフセットとを取得することと、
端末が前記特定論理チャネルにより、当該特定論理チャネル以外の、同一伝送チャネルにマッピングされた各論理チャネルとＭＣＳとの対応関係を取得することと、
を含むことを特徴とするデータ受信方法。
【請求項６】
端末が対応する論理チャネルのデータを復調・復号することは、
端末がネットワーク側に送信された、前記多種類の論理チャネルにそれぞれ占用されたサブフレーム数及び／又はサブフレーム番号を取得することを更に含む、ことを特徴とする請求項５に記載の方法。
【請求項７】
ネットワーク側が時分割多重化ＴＤＭ方式で前記多種類の論理チャネルのデータを送信する場合、前記対応する論理チャネルのデータを復調・復号することは、
端末が各種論理チャネルのデータに対して、当該論理チャネルに対応するＭＣＳで復調・復号を行うことを含む、ことを特徴とする請求項５又は６に記載の方法。
【請求項８】
ＴＤＭに基づく伝送ブロック多重化方式で、前記多種類の論理チャネルのデータを送信する場合、前記対応する論理チャネルのデータを復調・復号することは、
端末が同一サブフレームにより送信された多種類の論理チャネルのデータに対して、当該多種類の論理チャネルにそれぞれ対応するＭＣＳ中の最も高い信頼性を持つＭＣＳで復調・復号を行い、個別サブフレームにより送信された１種の論理チャネルのデータに対して、当該論理チャネルに対応するＭＣＳで復調・復号を行うことを含む、ことを特徴とする請求項５、６又は７に記載の方法。
【請求項９】
データ受信装置であって、前記受信装置は、
多種類の論理チャネルを同一伝送チャネルにマッピングする時に必要な多種類の変調・符号化方式ＭＣＳを確定し、また、論理チャネルとＭＣＳとの対応関係を端末に通知するためのＭＣＳ通知ユニットと、
前記必要なＭＣＳにより、当該伝送チャネルにマッピングされた論理チャネルのデータを変調・符号化した後、前記伝送チャネルにより、端末に送信するための送信処理ユニットと、
を備え、
前記ＭＣＳ通知ユニットは、
多種類の論理チャネルを同一伝送チャネルにマッピングする時に必要なＭＣＳを、確定するためのＭＣＳ確定ユニットと、
同一伝送チャネルにマッピングされた多種類の論理チャネル中の１種または多種類の特定論理チャネルを、確定するための特定論理チャネル確定ユニットと、
報知制御チャネルＢＣＣＨにより、前記特定論理チャネルとＭＣＳ又はＭＣＳのインデックスとの対応関係を端末に送信し、また、ＢＣＣＨにより、前記特定論理チャネルのＴＤＭ周期と、オフセットとを端末に送信するためのＢＣＣＨ送信ユニットと、
前記特定論理チャネルにより、当該特定論理チャネル以外の、同一伝送チャネルにマッピングされた論理チャネルとＭＣＳ又はＭＣＳのインデックスとの対応関係を、端末に送信するための特定論理チャネル送信ユニットと
を備えることを特徴とするデータ送信装置。
【請求項１０】
前記多種類の論理チャネルにそれぞれ占用されたサブフレーム数及び／又はサブフレーム番号を、端末に通知するためのサブフレーム情報通知ユニットを更に備える、ことを特徴とする請求項９に記載の装置。
【請求項１１】
前記送信処理ユニットは、
時分割多重化ＴＤＭ方式で前記多種類の論理チャネルのデータを送信する場合、各種論理チャネルのデータに対して、当該論理チャネルに対応するＭＣＳで変調・符号化を行い、或いは、ＴＤＭに基づく伝送ブロック多重化方式で前記多種類の論理チャネルのデータを送信する場合、同一サブフレームにより送信された多種類の論理チャネルのデータに対して、前記多種類の論理チャネルにそれぞれ対応するＭＣＳ中の最も高い信頼性を持つＭＣＳで変調・符号化を行い、個別サブフレームにより送信された１種の論理チャネルのデータに対して、当該論理チャネルに対応するＭＣＳで変調・符号化を行うための変調符号化ユニットと、
前記伝送チャネルにより、前記変調符号化ユニットで処理された後のデータを、端末に送信するための送信ユニットと、
を備えることを特徴とする請求項９または１０に記載の装置。
【請求項１２】
データ受信装置であって、前記装置は、
ネットワーク側に通知された、且つ同一伝送チャネルにマッピングされた多種類の論理チャネル中の論理チャネルと変調・符号化方式ＭＣＳとの対応関係を、取得するための対応関係取得ユニットと、
前記論理チャネルとＭＣＳとの対応関係に基づき、ネットワーク側が同一伝送チャネルにより論理チャネルのデータを送信する時に用いたＭＣＳを、確定するためのＭＣＳ確定ユニットと、
前記ＭＣＳ確定ユニットにより確定されたＭＣＳに基づき、対応する論理チャネルのデータを復調・復号するための処理ユニットと、
を備え、
前記対応関係取得ユニットは、報知制御チャネルＢＣＣＨにより、ネットワーク側に確定された特定論理チャネルとＭＣＳ又はＭＣＳのインデックスとの対応関係を取得し、また、ＢＣＣＨにより前記特定論理チャネルのＴＤＭ周期と、オフセットとを取得し、前記特定論理チャネルにより、当該特定論理チャネル以外の、同一伝送チャネルにマッピングされた各論理チャネルとＭＣＳインデックスとの対応関係を取得する
ことを特徴とするデータ受信装置。
【請求項１３】
端末が当該論理チャネルのデータを復調・復号する前に、ネットワーク側に送信された、且つ前記多種類の論理チャネルにそれぞれ占用されたサブフレーム数及び／又はサブフレーム番号を取得するための第１取得ユニットを更に備える、ことを特徴とする請求項１２に記載の装置。
【請求項１４】
前記処理ユニットは、各種論理チャネルのデータに対して、対応するＭＣＳで復調・復号を行う、ことを特徴とする請求項１２又は１３に記載の装置。
【請求項１５】
前記処理ユニットは、同一サブフレームにより送信された多種類の論理チャネルのデータに対して、当該多種類の論理チャネルにそれぞれ対応するＭＣＳ中の最も高い信頼性を持つＭＣＳで復調・復号を行い，個別サブフレームにより送信された１種の論理チャネルのデータに対して、当該論理チャネルに対応するＭＣＳで復調・復号を行う、
ことを特徴とする請求項１２、１３又は１４に記載の装置。
【請求項１６】
請求項９に記載のデータ送信装置と、請求項１２に記載のデータ受信装置とを備えることを特徴とする通信システム。
【発明の詳細な説明】
【技術分野】
【０００１】
本発明は、通信技術領域に関し、特にデータ伝送の方法、システム及び装置に関する。
【背景技術】
【０００２】
マルチメディア・ブロードキャスト・マルチキャスト・サービス（ＭＢＭＳ、Ｍｕｌｔｉｍｅｄｉａ  Ｂｒｏａｄｃａｓｔ  Ｍｕｌｔｉｃａｓｔ  Ｓｅｒｖｉｃｅ)技術は、無線セル内のユーザにマルチメディア・ブロードキャスト・サービスとマルチキャスト・サービスを提供する。長期進化（ＬＴＥ、Ｌｏｎｇ  Ｔｅｒｍ  Ｅｖｏｌｕｔｉｏｎ）システムにおけるＭＢＭＳは、進化型ＭＢＭＳ（ｅＭＢＭＳ、ｅｖｏｌｖｅｄ  ＭＢＭＳ）と呼ばれる。現在のバージョンＲ９のＬＴＥシステム（ＬＴＥ  Ｒ９）におけるｅＭＢＭＳは、ＭＢＭＳ/ユニキャスト混合セルの方式により実現される。即ち、ＭＢＭＳサービスを伝送するセルは、ユニキャストサービスも伝送することができ、ユニキャストサービスとＭＢＭＳは共同伝送され、ある時刻でＭＢＭＳ伝送が使用され、他の時刻でユニキャストサービス伝送が使用される。また、ＬＴＥ  Ｒ９システムにおけるＭＢＭＳ伝送は、マルチキャスト・ブロードキャスト単一周波数ネットワーク（ＭＢＳＦＮ）の伝送方式を使用し、即ち、同一の時間且つ同じ周波数で同一の情報内容を、複数のセルに同時に送信する。
【０００３】
論理チャネルは、メディアアクセス制御（ＭＡＣ）層で定義された上層プロトコルとの間のインターフェースであり、ＭＡＣ層は、論理チャネルにデータ伝送サービスを提供し、論理チャネルの種類により異なるデータ伝送サービスの種類を識別できる。伝送チャネルは、物理層が上位層（例えば、ＭＡＣ層）にデータ伝送を提供するためのインターフェースであり、伝送チャネルの種類は、物理層におけるデータの伝送特徴と伝送方式により定義される。
【０００４】
ＬＴＥシステムにおいて、現在、ＭＢＭＳ伝送に関連する論理チャネルは、主に報知制御チャネル（ＢＣＣＨ、Ｂｒｏａｄｃａｓｔ  Ｃｏｎｔｒｏｌ  Ｃｈａｎｎｅｌ）、マルチキャスト制御チャネル（ＭＣＣＨ、Ｍｕｌｔｉｃａｓｔ  Ｃｏｎｔｒｏｌ  Ｃｈａｎｎｅｌ）とマルチキャストトラフィックチャネル（ＭＴＣＨ、Ｍｕｌｔｉｃａｓｔ  Ｔｒａｆｆｉｃ  Ｃｈａｎｎｅｌ）を備える。伝送チャネルは、主にマルチキャストチャネル（ＭＣＨ、Ｍｕｌｔｉｃａｓｔ  Ｃｈａｎｎｅｌ）、報知チャネル（ＢＣＨ、Ｂｒｏａｄｃａｓｔ  Ｃｈａｎｎｅｌ）とダウンリンク共用チャネル（ＤＬ−ＳＣＨ、Ｄｏｗｎｌｉｎｋ  Ｓｈａｒｅｄ  Ｃｈａｎｎｅｌ）を備え、これらのチャネルは、全てダウンリンクチャネルである。
【０００５】
ＬＴＥ  Ｒ９システムにおいて、論理チャネルと伝送チャネルのマッピング関係を図１に示し、ＢＣＣＨは、ＢＣＨ又はＤＬ−ＳＣＨにマッピングされ、ＭＢＭＳ／ユニキャスト混合セルにおいて、ＭＴＣＨとＭＣＣＨは、ＭＣＨにマッピングされる。各チャネルの主な役割は、以下の通りである。
【０００６】
（１）ＢＣＣＨ:  
報知制御チャネルは、ネットワークから端末（ＵＥ）へシステム情報を報知するためのものである。ＭＢＭＳに対して、ＢＣＣＨの中には、例えばＭＣＣＨの繰り返し周期、ＭＣＣＨ開始サブフレームのオフセット、ＭＣＣＨに占用されたサブフレーム数、無線リンク制御層非確認型モード（ＲＬＣＵＭ、Ｒａｄｉｏ  Ｌｉｎｋ  Ｃｏｎｔｒｏｌ  Ｕｎａｃｋｎｏｗｌｅｄｇｅｄ  Ｍｏｄｅ）の配置等のようなＭＣＣＨの配置情報を伝送することにより、ＵＥはＭＣＣＨのリソース位置を確定できるが、ＢＣＣＨの中には、具体的なＭＢＭＳサービス情報を伝送しない。
【０００７】
（２）ＭＣＣＨ:  
マルチキャスト制御チャネルは、ポイントツーマルチポイント（ｐｏｉｎｔ−ｔｏ−ｍｕｌｔｉｐｏｉｎｔ）のダウンリンクチャネルであり、ネットワークからＵＥへＭＢＭＳに関連する制御情報を伝送するためのものである。１つのＭＣＣＨは、1つ又は複数のＭＴＣＨに対応することができ、即ち、複数のＭＴＣＨ制御情報を伝送することができる。
【０００８】
ＭＣＣＨにより伝送する情報は、ＭＢＭＳ論理チャネル（例えば、ＭＴＣＨ、ＭＳＣＨ等）の配置情報、ＭＢＭＳ無線ベアラ（ＲＢ）情報（例えば、ＭＣＣＨの変更周期内で提供されたＲＢ）、ＭＢＭＳセッション開始（ｓｅｓｓｉｏｎ  ｓｔａｒｔ）、ＭＢＭＳセッション終了（ｓｅｓｓｉｏｎ  ｓｔｏｐ)等の情報を含む。
【０００９】
（３）ＭＴＣＨ:  
マルチキャストトラフィックチャネルは、ポイントツーマルチポイントのダウンリンクチャネルであり、ネットワークからＵＥへ具体的なＭＢＭＳサービスデータを送信するためのものである。
【００１０】
ＭＴＣＨとＭＣＣＨは、同一のＭＣＨにマッピングでき、即ち、ＭＴＣＨとＭＣＣＨをＭＡＣ層に多重化する。ＭＴＣＨとＭＣＣＨのＭＡＣ層多重化方式は、時分割多重化（ＴＤＭ）方式を使用しても良いし、ＴＤＭに基づく伝送ブロック（ＴＢ）の内部多重化方式を使用しても良い。
【００１１】
そのうち、伝送チャネルがＴＤＭ方式でデータを伝送することは、同一伝送チャネルに多重化された各論理チャネルのデータが時分割方式で伝送されることを指し、即ち、１つの伝送チャネルのために割り当てられた各サブフレームは、当該伝送チャネルに多重化された複数の論理チャネル中の１つの論理チャネルのデータのみを伝送でき、ＴＤＭ方式で多重化を行う場合、図２に示すように、ＭＴＣＨとＭＣＣＨ中のデータ情報は、それぞれ当該ＭＣＨに対応する異なるサブフレーム内で伝送される。
【００１２】
図３に示すように、１つの論理チャネル内のデータは、１つのサブフレーム内の全部のリソースを使い切れない場合、当該サブフレームの残り部分を埋める。従って、伝送チャネルがＴＤＭに基づくＴＢ内部多重化方式でデータを伝送することとは、まず、ＴＤＭ方式で、ある特定の論理チャネル（又は論理チャネルグループ）のデータを伝送し、例えば、ＭＣＣＨのデータ、或いはＭＣＣＨと他の論理チャネル（例えば、ＭＢＭＳのスケジューリング情報を伝送するためのＭＢＭＳスケジューリングチャネル（ＭＳＣＨ)）のデータ組み合わせを伝送し、あるサブフレーム内の当該特定の論理チャネル（グループ）のデータをすべて送信完了した後、当該サブフレームのＴＢブロックで提供されたリソースをまだ使い切れていない場合、他の論理チャネル（又は論理チャネルグループ）のデータが同一のＴＢブロックで伝送されることを許容することである。
【００１３】
従来のＬＴＥシステムにおいては、各伝送チャネルが、１つのサブフレームにおいて１つのＴＢに対応し、１つのＴＢが１種の変調・符号化方式（ＭＣＳ、Ｍｏｄｕｌａｔｉｏｎ  ａｎｄ  ｃｏｄｉｎｇ  ｓｃｈｅｍｅ）のみを使用する。しかし、ＭＢＭＳ伝送用の１つのＭＢＳＦＮサブフレームにおいて、１つの伝送チャネルＭＣＨのデータのみは存在する可能性がある。ＭＣＣＨにおいては、ＭＢＭＳに関連する制御情報を伝送するので、ＵＥをＭＢＭＳに関連する制御情報を確実に受信させるため、通常、他の論理チャネル（例えばＭＴＣＨ)のデータ伝送と異なった変調・符号化方式を使用することにより、ＵＥ受信の信頼性を向上させる。しかし、ＭＣＣＨやＭＴＣＨ等の他の論理チャネルのデータは、同一のＭＣＨに多重化された場合、ＭＣＨのサブフレームが、ＭＣＣＨのために設定された変調・符号化方式を使用すれば、スペクトル効率が低下する。ＭＣＨのサブフレームが、ＭＴＣＨ等の他の論理チャネル（グループ）のために設定された変調・符号化方式を使用すれば、ＭＣＣＨ受信の信頼性を確保することができない。
【００１４】
上記のように、従来技術によれば、ＬＴＥシステムにおいて、ＭＢＭＳに関連する多種類の論理チャネルは、同一伝送チャネルにマッピングされた場合、当該伝送チャネルは、１種のＭＣＳのみを使用できるため、各種論理チャネルの異なるデータの伝送品質要求を満たすことができない。
【発明の開示】
【発明が解決しようとする課題】
【００１５】
本発明の実施例は、ＭＢＭＳに関連する多種類の論理チャネルが同一伝送チャネルにマッピングされた場合、多種類の論理チャネルデータの伝送品質要求を満たすためのデータ伝送の方法、システム及び装置を提供する。
【課題を解決するための手段】
【００１６】
本発明の実施例に係るデータ送信方法は、
ネットワーク側が、多種類の論理チャネルを同一伝送チャネルにマッピングする時に必要な多種類の変調・符号化方式ＭＣＳを確定し、また、論理チャネルとＭＣＳとの対応関係を端末に通知することと、
ネットワーク側が、前記必要なＭＣＳにより、当該伝送チャネルにマッピングされた論理チャネルのデータを変調・符号化した後、前記伝送チャネルにより端末に送信することと、
を含む。
【００１７】
本発明の実施例に係るデータ受信方法は、
端末が、ネットワーク側に通知された、且つ同一伝送チャネルにマッピングされた複数の論理チャネル中の論理チャネルとＭＣＳとの対応関係を取得することと、
端末が前記論理チャネルとＭＣＳとの対応関係に基づき、ネットワーク側が前記伝送チャネルにより論理チャネルのデータを送信する時に用いたＭＣＳを確定することと、  
端末が確定されたＭＣＳに基づき、対応する論理チャネルのデータを復調・復号することと、
を含む。
【００１８】
本発明の実施例に係るデータ送信装置は、
多種類の論理チャネルを同一伝送チャネルにマッピングする時に必要な多種類の変調・符号化方式ＭＣＳを確定し、またＭＣＳと論理チャネルとの対応関係を端末に通知するためのＭＣＳ通知ユニットと、
前記必要なＭＣＳにより、当該伝送チャネルにマッピングされた論理チャネルのデータを変調・符号化した後、前記伝送チャネルにより端末に送信するための送信処理ユニットと、
を備える。
【００１９】
本発明の実施例に係る端末は、
ネットワーク側に通知された、且つ同一伝送チャネルにマッピングされた複数の論理チャネル中の論理チャネルと変調・符号化方式ＭＣＳとの対応関係を、取得するための対応関係取得ユニットと、
前記論理チャネルとＭＣＳとの対応関係に基づき、ネットワーク側が同一伝送チャネルにより論理チャネルのデータを送信する時に用いたＭＣＳを確定するためのＭＣＳ確定ユニットと、
前記ＭＣＳ確定ユニットに確定されたＭＣＳに基づき、対応する論理チャネルのデータを復調・復号するための処理ユニットと、
を備える。
【００２０】
本発明の実施例に係る通信システムは、
多種類の論理チャネルを同一伝送チャネルにマッピングする時に必要な多種類の変調・符号化方式ＭＣＳを確定し、また論理チャネルとＭＣＳとの対応関係を端末に通知し、前記必要なＭＣＳにより、当該伝送チャネルにマッピングされた論理チャネルのデータを変調・符号化した後、前記伝送チャネルにより端末に送信するための基地局と、
前記対応関係を取得し、前記論理チャネルとＭＣＳとの対応関係に基づき、ネットワーク側が前記伝送チャネルにより論理チャネルのデータを送信する時に用いたＭＣＳを確定し、確定されたＭＣＳに基づき、対応する論理チャネルのデータを復調・復号するための端末と、
を備える。
【発明の効果】
【００２１】
本発明の実施例において、ネットワーク側は、多種類の論理チャネルを同一伝送チャネルにマッピングする時に必要な多種類の変調・符号化方式ＭＣＳを確定し、また論理チャネルとＭＣＳとの対応関係を端末に通知し、ネットワーク側は、前記伝送チャネルに必要なＭＣＳにより、当該伝送チャネルにマッピングされた論理チャネルのデータを変調・符号化した後、前記伝送チャネルにより端末に送信することにより、ＭＢＭＳに関連する多種類の論理チャネルが同一伝送チャネルにマッピングされた場合、当該伝送チャネルが多種類のＭＣＳを使用することができ、多種類の論理チャネルデータの伝送品質要求を満たすことができる。
【図面の簡単な説明】
【００２２】
【図１】論理チャネルと伝送チャネルのマッピング関係を示す図である。
【図２】ＭＣＣＨデータとＭＴＣＨデータをＴＤＭ方式で多重化することを示す図である。
【図３】ＭＣＣＨデータとＭＴＣＨデータを、ＴＤＭに基づく伝送ブロック多重化方式で多重化することを示す図である。
【図４】本発明の実施例に係るデータ送信方法を示すフローチャートである。
【図５】本発明の実施例に係るＭＣＣＨデータの伝送方式を示す図である。
【図６】本発明の実施例に係るデータ送信装置の構造を示す図である。
【図７】本発明の実施例に係るＭＣＳ通知ユニットの構造を示す図である。
【図８】本発明の実施例に係るもう１つのＭＣＳ通知ユニットの構造を示す図である。
【図９】本発明の実施例に係る送信処理ユニットの構造を示す図である。
【図１０】本発明の実施例に係る端末の構造を示す図である。
【発明を実施するための最良の形態】
【００２３】
本発明の実施例は、ＭＢＭＳに関連する多種類の論理チャネルが同一伝送チャネルにマッピングされた場合、多種類の論理チャネルデータの伝送品質要求を満たすためのデータ伝送の方法、システム及び装置を提供する。
【００２４】
以下、図面を参照しながら、本発明の実施例に係る技術案を説明する。
【００２５】
図４に示すように、本発明の実施例に係るデータ送信方法は、
ネットワーク側が、多種類の論理チャネルを同一伝送チャネルにマッピングする時に必要な多種類の変調・符号化方式ＭＣＳを確定し、また、論理チャネルとＭＣＳとの対応関係を端末に通知するステップＳ１０１と、
ネットワーク側が、前記必要なＭＣＳにより、当該伝送チャネルにマッピングされた論理チャネルのデータを変調・符号化した後、前記伝送チャネルにより端末に送信するステップＳ１０２と、
を含む。
【００２６】
論理チャネルとＭＣＳとの対応関係は、論理チャネルとＭＣＳのインデックスとの対応関係により示されることが好ましい。ここで、１種の論理チャネルは、伝送時刻毎に１つのＭＣＳのみに対応し、論理チャネルの種類毎に対応するＭＣＳは、同じであっても良いし、同じでなくても良い。
【００２７】
本発明の実施例に係るステップＳ１０１において、前記対応関係を端末に通知する方式は２種類あり、即ち、
ＢＣＣＨにより前記対応関係を端末に通知する方式であり、
或いは、同一伝送チャネルにマッピングされた多種類の論理チャネル中の１種または多種類の特定論理チャネルを確定し、ＢＣＣＨにより、特定論理チャネルとＭＣＳ又はＭＣＳのインデックスとの対応関係を端末に送信し、特定論理チャネルにより、当該特定論理チャネル以外の同一伝送チャネルにマッピングされた論理チャネルと、ＭＣＳ又はＭＣＳのインデックスとの対応関係を端末に送信する方式である。
【００２８】
ネットワーク側は、同一伝送チャネルにより多種類の論理チャネルのデータを端末に送信する前に、
ネットワーク側は、同一伝送チャネルにマッピングされた多種類の論理チャネルによりそれぞれ占用されたサブフレーム数及び／又はサブフレーム番号を、端末に通知することを更に含むことが好ましい。
【００２９】
本発明の実施例に係るステップＳ１０２において、ネットワーク側が同一伝送チャネルに必要なＭＣＳにより、当該伝送チャネルにマッピングされた論理チャネルのデータを変調・符号化する方式も２種類あり、即ち、
ＴＤＭ方式で同一伝送チャネルにより多種類の論理チャネルのデータを送信する場合、ネットワーク側がそのうちの各種論理チャネルのデータ対して、当該論理チャネルに対応するＭＣＳで変調・符号化を行う方式であり、
ＴＤＭに基づく伝送ブロック多重化方式で、同一伝送チャネルにより多種類の論理チャネルのデータを送信する場合、ネットワーク側が、同一サブフレームにより送信された多種類の論理チャネルのデータに対して、これらの論理チャネルに対応するＭＣＳ中の最も高い信頼性を持つＭＣＳで変調・符号化を行い、個別サブフレームにより送信された１種の論理チャネルのデータに対して、当該論理チャネルに対応するＭＣＳで変調・符号化を行う方式である。
【００３０】
以下、ＭＣＣＨとＭＴＣＨが同一伝送チャネルＭＣＨにマッピングされた場合を例として、ＭＢＭＳに関連する多種類の論理チャネルが同一伝送チャネルにマッピングされた場合、多種類の論理チャネルデータの伝送品質要求をどのように満たすのかを説明する。
【００３１】
ＭＢＭＳサービスを提供するシステムにおいて、ＭＣＣＨは、ＭＢＭＳ制御情報を送信するためのものであり、更に、送信する時にＵＥがＭＢＭＳ制御情報を確実に受信できることを確保する必要がある。ＭＴＣＨは、具体的なＭＢＭＳサービス情報を送信するためのものであり、更に、送信する時に一定のスペクトル効率を確保する必要がある。本発明の実施例は、伝送チャネルのＭＣＳを配置することにより、ＭＣＣＨとＭＴＣＨが同一伝送チャネルＭＣＨにマッピングされた場合、ＭＣＣＨ受信の信頼性を向上すると同時に、ＭＴＣＨ伝送時のスペクトル効率も確保することができる。具体的な伝送チャネルＭＣＨの変調・符号化方式は、以下のように設定される。
【００３２】
ＭＣＣＨとＭＴＣＨのデータは、図２に示すＴＤＭ方式で多重化された場合、ＭＣＣＨとＭＴＣＨのためにマッピングした、且つＭＣＨにより割り当てられたサブフレームにおいて、一部分のサブフレームは、ＭＣＣＨデータを伝送するためのものであり、もう一部分のサブフレームは、ＭＴＣＨデータを伝送するためのものである。ＭＣＣＨデータを伝送するサブフレームと、ＭＴＣＨデータを伝送するサブフレームは、それぞれ異なるＭＣＳを使用する。
【００３３】
ＭＣＣＨとＭＴＣＨのデータは、図３に示すようなＴＤＭに基づく伝送ブロック（ＴＢ)多重化方式で多重化された場合、即ち、ＭＣＣＨデータとＭＴＣＨデータは、同一サブフレームの中で同時に送信されることができる場合、ＭＣＣＨデータを含むサブフレームは、全てＭＣＣＨのために設置されたＭＣＳを使用し、ＭＣＣＨデータを全く含まないサブフレームは、ＭＴＣＨのために設置されたＭＣＳを使用する。
【００３４】
ＵＥに各種論理チャネル用のＭＣＳを取得させるための方法はたくさんあり、例えば、
第１方法：ＢＣＣＨにより同一ＭＣＨに使用された各種ＭＣＳを送信し、また、ＭＣＣＨとＭＣＳのインデックスとの対応関係を端末に送信し、ＭＣＣＨによりＭＴＣＨとＭＣＳのインデックスとの対応関係を端末に送信する。
【００３５】
端末は、ＭＣＣＨとＭＣＳのインデックスとの対応関係に基づき、ＭＣＨにより送信されたＭＣＣＨデータ用のＭＣＳを確定することができ、ＭＴＣＨとＭＣＳのインデックスとの対応関係に基づき、ＭＣＨにより送信されたＭＴＣＨデータ用のＭＣＳを確定することができる。
【００３６】
そのうち、ＢＣＣＨにより同一ＭＣＨに使用された各種ＭＣＳを送信する方式は、ＴＤＭ周期、オフセット（ｏｆｆｓｅｔ）、送信長さ及びＭＣＳ等のパラメータを含む各サブセット（Ｓｕｂｓｅｔ）を配置することにより実現できる。例えば、
Ｓｕｂｓｅｔ１：（ＴＤＭ周期１、ｏｆｆｓｅｔ１、送信長さ１、ＭＣＳ１)  
Ｓｕｂｓｅｔ２：（ＴＤＭ周期２、ｏｆｆｓｅｔ２、送信長さ２、ＭＣＳ２)  
Ｓｕｂｓｅｔ３：（ＴＤＭ周期３、ｏｆｆｓｅｔ３、送信長さ３、ＭＣＳ３)  
前記各サブセットに含まれたＭＣＳは、ＭＣＳのインデックスに置き換えても良い。即ち、ネットワーク側と端末側は、各種論理チャネルに必要な全種類のＭＣＳを予めネゴシエーションした後、ネットワーク側は、具体的なＭＣＳを送信せず、ＭＣＳのインデックスと各種論理チャネルとの対応関係を直接に送信することができる。
【００３７】
ＭＣＣＨのデータとＭＴＣＨのデータに対して、ネットワーク側は、異なるサブセットを選択してマッピングすることができ、例えば、ＭＣＣＨのデータは、Ｓｕｂｓｅｔ１中のパラメータで送信され、ＭＴＣＨのデータは、Ｓｕｂｓｅｔ２中のパラメータで送信される。
【００３８】
そのうち、ＴＤＭ周期とは、ＭＣＨにおける論理チャネル（或いは多種類の論理チャネルからなる論理チャネルグループ）の出現周期である。
【００３９】
説明すべきことは、本発明の実施例において、１種の論理チャネルが１種のＭＣＳのみに対応し、１種のＭＣＳが、１種の論理チャネルにも対応し、また、多種類の論理チャネルからなる論理チャネルグループにも対応し、即ち、多種類の論理チャネルにも対応できることである。
【００４０】
ＴＤＭ周期は、無線フレームにより定義され、また無線フレーム周期（ｒａｄｉｏＦｒａｍｅＰｅｒｉｏｄ）のパラメータにより定義される。例えば、ｒａｄｉｏＦｒａｍｅＰｅｒｉｏｄ＝５の場合、論理チャネル（或いは論理チャネルグループ）のデータは、５個の無線フレーム毎に１回出現することが示される。
【００４１】
また、ＴＤＭ周期は、他のイベント周期に基づいて定義され、例えば、ＭＢＭＳスケジューリング周期に基づいて定義され、ＭＢＭＳスケジューリング周期が３２０ミリ秒（ｍｓ）であることを想定する場合、ＭＢＭＳスケジューリング周期に基づく配置パラメータＳｃｈｅｄｂａｓｅｄＰｅｒｉｏｄ（スケジューリングに基づく周期、即ち、論理チャネルの出現周期はスケジューリング周期に基づいて設定される）を設定し、例えば、ＳｃｈｅｄｂａｓｅｄＰｅｒｉｏｄ＝２の場合、論理チャネル（或いは論理チャネルグループ）のデータは、２個のＭＢＭＳスケジューリング周期毎に１回出現することが示される。
【００４２】
論理チャネルの種類により、ＴＤＭ周期は異なる意味を有し、例えば、ＭＣＣＨに対して、ＴＤＭ周期は、ＭＣＣＨの繰り返し周期又は変更周期であっても良い。ＭＴＣＨに対して、ＴＤＭ周期は、ＭＴＣＨのスケジューリング周期であっても良い。ＭＳＣＨに対して、ＴＤＭ周期は、ＭＳＣＨの繰り返し周期又は変更周期であっても良い。
【００４３】
ＭＣＣＨのデータの伝送方式は、図５に示すように、そのうち、各小さな方形は、ＭＣＣＨのデータを示し、ＭＣＣＨのデータは、ＭＣＣＨの変更周期及び／又はＭＣＣＨの繰り返し周期の方式で伝送される。ＭＣＣＨの変更周期において、ＭＣＣＨのデータは変わらなく、ＭＣＣＨの繰り返し周期が存在する場合、ＭＣＣＨのデータは、ＭＣＣＨの繰り返し周期で再送され、ＵＥはＭＣＣＨの変更周期内で多数の同じ情報を受信することができ、１回のみ正確に受信することができれば、現在のＭＣＣＨのデータを取得できるようになる。ＭＣＣＨの異なる変更周期の間で、ＭＣＣＨのデータは、同じでなくても良いし、同じであっても良い。即ち、各ＭＣＣＨの変更周期が到来する時、ネットワーク側は、ＭＣＣＨのデータを変更しても良いし、ＭＣＣＨのデータを変更しなくても良い。
【００４４】
ｏｆｆｓｅｔは、ＭＣＨにおける論理チャネルデータ開始のサブフレームの位置を示す。例えば、無線フレームにより定義されたＴＤＭ周期に対して、ｏｆｆｓｅｔ＝３の場合、論理チャネル（又は論理チャネルグループ）のデータは、その第１ＴＤＭ周期の無線フレーム中の第３サブフレームから送信し始められることを示し、また、論理チャネル（又は論理チャネルグループ）のデータは、その第１ＴＤＭ周期の無線フレーム中のＭＢＳＦＮ用サブフレームの第３サブフレームから送信し始められることを示し、更に、論理チャネル（又は論理チャネルグループ）のデータは、その第１ＴＤＭ周期の無線フレーム中のＭＢＳＦＮ用サブフレームによりマッピングされたＭＣＨが占用したサブフレーム中の第３サブフレームから送信し始められることを示す。
【００４５】
送信長さとは、論理チャネル（又は論理チャネルグループ）の各ＴＤＭ周期における送信された当該論理チャネル（又は論理チャネルグループ）のデータにより占用されたサブフレーム数である。
【００４６】
ＭＣＳとは、伝送チャネルにより論理チャネル（又は論理チャネルグループ）データを送信するサブフレームにおける使用されたＭＣＳである。
【００４７】
例えば、ＭＣＣＨはＳｕｂｓｅｔ１に対応し、ｏｆｆｓｅｔ１のパラメータにより、端末は、ＭＣＣＨデータを受信し始める時刻を取得し、送信長さ１のパラメータにより、端末は、毎回ＭＣＣＨデータを受信する時に、ＭＣＣＨデータに占用されたサブフレーム数を取得し、ＭＣＳ１のパラメータにより、端末は、ＭＣＣＨデータ受信に使用されたＭＣＳの種別を取得し、ＴＤＭ周期により、端末は、何時間おきに１回ＭＣＣＨデータを受信するかを取得する。
【００４８】
従って、各論理チャネルに対応するＳｕｂｓｅｔの中に含まれた各パラメータにより、端末は、各論理チャネルのデータを正確に受信することができる。
【００４９】
説明すべきことは、前記パラメータを配置する場合、すべてのパラメータを配置するとは限らず、例えば、論理チャネル（又は論理チャネルグループ）データに占用されたサブフレーム数は、固定値である場合、予めネットワーク側と端末側における該固定値を設定すれば良いが、Ｓｕｂｓｅｔにおける「送信長さ」というパラメータを配置する必要がないである。
【００５０】
第１方法において、すべてのＳｕｂｓｅｔのパラメータは、ＢＣＣＨで送信され、ＭＣＣＨにおいては、ＭＴＣＨ等の論理チャネル（又は論理チャネルグループ）とＳｕｂｓｅｔのインデックスとの対応関係のみを含む。
【００５１】
もちろん、各種論理チャネルとＳｕｂｓｅｔ（ＭＣＳ又はＭＣＳのインデックスを含む）との対応関係をＢＣＣＨで送信しても良い。
【００５２】
第２方法：端末がＭＣＣＨデータを受信した後、更にＭＴＣＨデータを受信するので、ＢＣＣＨにより、ＭＣＣＨとＭＣＳとの対応関係を端末に送信し、またＭＣＣＨにより、ＭＴＣＨとＭＣＳとの対応関係を端末に送信することができる。
【００５３】
端末側において各種ＭＣＳを予め保存する場合、ＢＣＣＨにより、ＭＣＣＨとＭＣＳのインデックスとの対応関係を端末に送信し、またＭＣＣＨにより、ＭＴＣＨとＭＣＳのインデックスとの対応関係を端末に送信することもできる。
【００５４】
本発明の実施例における前記ＭＣＳのインデックスは、ＭＣＳの識別子であっても良い。
【００５５】
端末は、ＢＣＣＨにより、ＭＣＣＨデータを含むサブフレームに使用されたＭＣＳを取得し、またＭＣＣＨにより、ＭＴＣＨデータを含むサブフレームに使用されたＭＣＳを取得する。
【００５６】
具体的に、第２方法も、第１方法におけるＳｕｂｓｅｔによりＭＣＳを伝送する方式を使用し、ＭＣＣＨとＳｕｂｓｅｔとの対応関係は、ＢＣＣＨにより送信され、ＭＴＣＨとＳｕｂｓｅｔとの対応関係は、ＭＣＣＨにより送信される。
【００５７】
本発明の実施例におけるネットワーク側の操作は、基地局により実行されても良いし、他のネットワークノードにより実行されても良い。
【００５８】
また、本発明の実施例に係るデータ受信方法は、
端末が、ネットワーク側に通知された論理チャネルとＭＣＳ（又はＭＣＳのインデックス）との対応関係を取得するステップ１と、
端末が当該対応関係に基づき、ネットワーク側が同一伝送チャネルにより多種類の論理チャネルデータ中の論理チャネルデータを送信する時に用いたＭＣＳを確定するステップ２と、
端末がステップ２で確定されたＭＣＳに基づき、対応する論理チャネルデータを復調・復号するステップ３と、
を含む。
【００５９】
前記実施例において、複数の論理チャネルが同一伝送チャネルにマッピングされる時、端末はいくつかの論理チャネルのデータのみを受信したい場合、ステップ２においては、受信したい論理チャネルに対応するＭＣＳのみを確定すれば良い。
【００６０】
端末は、報知制御チャネルＢＣＣＨにより、ネットワーク側に通知された、且つ同一伝送チャネルにマッピングされた多種類の論理チャネル中の論理チャネルに対応するＭＣＳを取得し、そのうち、各種論理チャネルに対応するＭＣＳは、同じであっても良いし、同じでなくても良い。
【００６１】
端末がネットワーク側に通知された、且つ同一伝送チャネルにマッピングされた多種類の論理チャネル中の論理チャネルとＭＣＳとの対応関係を取得することは、以下のように実現することができる。
【００６２】
端末は、報知制御チャネルＢＣＣＨにより、ネットワーク側に確定された特定論理チャネルとＭＣＳ又はＭＣＳのインデックスとの対応関係を取得し、端末は前記特定論理チャネルにより、当該特定論理チャネル以外の、同一伝送チャネルにマッピングされた論理チャネルとＭＣＳ又はＭＣＳのインデックスとの対応関係を取得する。
【００６３】
端末が対応する論理チャネルデータを復調・復号するステップにおいて、更に、端末は、ネットワーク側に送信された、且つ前記多種類の論理チャネルにそれぞれ占用されたサブフレーム数及び／又はサブフレーム番号を取得する、ことを含んでも良い。
【００６４】
ネットワーク側は、時分割多重化ＴＤＭ方式で前記多種類の論理チャネルのデータを送信する場合、端末は、各種論理チャネルのデータに対して、対応するＭＣＳで復調・復号を行うことができる。
【００６５】
ＴＤＭに基づく伝送ブロック多重化方式で前記多種類の論理チャネルのデータを送信する場合、端末は、同一サブフレームにより送信された多種類の論理チャネルのデータに対して、当該多種類の論理チャネルにそれぞれ対応するＭＣＳ中の最も高い信頼性を持つＭＣＳで復調・復号を行い、個別サブフレームにより送信された１種の論理チャネルのデータに対して、当該論理チャネルに対応するＭＣＳで復調・復号を行うことができる。
【００６６】
以下、三つの具体的な実施例を提供する。
【００６７】
実施例１：ＭＣＣＨデータとＭＴＣＨデータは、ＴＤＭ方式で多重化される。
【００６８】
図２に示すように、一定の期間内で、ＭＣＣＨとＭＴＣＨに共にマッピングされたＭＣＨにおいては、６個のサブフレームを含み、ＭＣＣＨとＭＴＣＨがＴＤＭ方式で多重化され、即ち、ＭＣＣＨデータを伝送するサブフレームは、ＭＴＣＨデータを伝送するサブフレームと異ない、ＭＢＭＳ制御情報を先に送信することを予め規定し、且つ３個のサブフレームを占用する必要があり、基地局は、ＭＣＣＨデータ伝送用のＭＣＨ中の先頭の３個サブフレームに対して、高信頼性を持つＭＣＳ１で変調・符号化し、次のＭＴＣＨデータ伝送用のサブフレームに対して、高いスペクトル効率を有するＭＣＳ２で変調・符号化する。
【００６９】
端末は、基地局に通知されたＭＣＳ１、及び予め規定された（或いはブロードキャストメッセージで通知された）ＭＣＣＨデータ用のサブフレーム数及び／又はサブフレーム番号に基づき、ＭＣＣＨデータを受信し、基地局に通知されたＭＣＳ２に基づき、ＭＴＣＨデータ用のサブフレームを受信する。
【００７０】
実施例２：ＭＣＣＨデータとＭＴＣＨデータは、ＴＤＭに基づく伝送ブロック多重化方式で多重化される。
【００７１】
図３に示すように、一定の期間内で、ＭＣＣＨとＭＴＣＨに共にマッピングされたＭＣＨにおいては、６個のサブフレームを含み、ＭＣＣＨデータとＭＴＣＨデータは、ＴＤＭに基づく伝送ブロック多重化方式で多重化され、ＭＢＭＳ制御情報を先に送信することを予め規定し、且つ３個のサブフレームを占用する必要があり、基地局は、ＭＣＣＨデータを伝送するサブフレームに対して、高信頼性を持つＭＣＳ１で変調・符号化を行い（いくつかのサブフレームはＭＴＣＨのデータを含むにも関わらず）、ＭＣＣＨデータを含まないサブフレームに対して、高いスペクトル効率を有するＭＣＳ２で変調・符号化を行う。
【００７２】
端末は、基地局に通知されたＭＣＳ１、及び予め規定された（或いはブロードキャストメッセージで通知された）ＭＣＣＨデータ用のサブフレーム数及び／又はサブフレーム番号に基づき、ＭＣＣＨデータを受信し、基地局に通知されたＭＣＳ２に基づき、ＭＴＣＨデータ用のサブフレームを受信する。
【００７３】
以上のように、ＭＣＣＨとＭＴＣＨが同一ＭＣＨにマッピングされる場合のみに対して説明を行い、もちろん、本発明の実施例に係る方法は、更に他の場合にも用いられ、例えば、ＭＣＣＨ、ＭＴＣＨ、ＭＳＣＨ、スケジューリング用のメディアアクセス制御ユニット（ＭＡＣ  ＣＥ）、及び他の論理チャネルが同一ＭＣＨに多重化される場合にも用いられる。これらの論理チャネル間の多重化は、図２又は図３に示す多重化方式を使用することができる。異なる論理チャネルに対応する異なるＭＣＳを設定し、そして、ＢＣＣＨ及び／又はＭＣＣＨにより、異なる論理チャネルに対応する異なるＭＣＳをＵＥに通知しても良い。なお、論理チャネルをグループに分け、同一グループの論理チャネルが同じＭＣＳを使用し、例えば、ＭＳＣＨ（マルチキャストスケジューリングチャネル）データとＭＡＣ  ＣＥ等のデータは、同一の専用ＭＣＳで変調・符号化され、また、ＭＣＣＨデータ及び／又はＭＴＣＨデータと共に同一サブフレーム内で多重化され、ＭＣＣＨ又はＭＴＣＨに対応するＭＣＳと同じＭＣＳ方式で変調・符号化される。
【００７４】
以下、本発明の実施例に係る装置を説明する。
【００７５】
図６に示すように、本発明の実施例に係るデータ送信装置は、
多種類の論理チャネルを同一伝送チャネルにマッピングする時に必要な多種類の変調・符号化方式ＭＣＳを確定し、また、論理チャネルとＭＣＳ又はＭＣＳのインデックスとの対応関係を端末に通知するためのＭＣＳ通知ユニット１１と、
同一伝送チャネルに必要なＭＣＳにより、当該伝送チャネルにマッピングされた論理チャネルのデータを変調・符号化した後、当該伝送チャネルにより、端末に送信するための送信処理ユニット１２と、
を備える。
【００７６】
図７に示すように、前記ＭＣＳ通知ユニット１１は、
多種類の論理チャネルを同一伝送チャネルにマッピングする時に必要なＭＣＳを確定するためのＭＣＳ確定ユニット１１１と、
報知制御チャネルＢＣＣＨにより、論理チャネルとＭＣＳ又はＭＣＳのインデックスとの対応関係を、端末に通知するためのＢＣＣＨ送信ユニット１１２と、
を備える。
【００７７】
或いは、図８に示すように、前記ＭＣＳ通知ユニット１１は、
多種類の論理チャネルを同一伝送チャネルにマッピングする時に必要なＭＣＳを、確定するためのＭＣＳ確定ユニット１１３と、
同一伝送チャネルにマッピングされた多種類の論理チャネル中の１種または多種類の特定論理チャネルを、確定するための特定論理チャネル確定ユニット１１４と、
報知制御チャネルＢＣＣＨにより，特定論理チャネルとＭＣＳ又はＭＣＳのインデックスとの対応関係を、端末に送信するためのＢＣＣＨ送信ユニット１１５と、
前記特定論理チャネルにより、当該特定論理チャネル以外の、同一伝送チャネルにマッピングされた各種論理チャネルとＭＣＳ又はＭＣＳのインデックスとの対応関係を、端末に送信するための特定論理チャネル送信ユニット１１６と、
を備える。
【００７８】
図６に示すように、当該装置は、
多種類の論理チャネルにそれぞれ占用されたサブフレーム数及び／又はサブフレーム番号を、端末に通知するためのサブフレーム情報通知ユニット１３を更に備えることが好ましい。
【００７９】
図９に示すように、前記送信処理ユニット１２は、
時分割多重化ＴＤＭ方式で同一伝送チャネルにマッピングされた多種類の論理チャネルデータを送信する場合、論理チャネルのデータに対して、当該論理チャネルに対応するＭＣＳで変調・符号化を行い、或いは、ＴＤＭに基づく伝送ブロック多重化方式で同一伝送チャネルにマッピングされた多種類の論理チャネルデータを送信する場合、同一サブフレームにより送信された多種類の論理チャネルのデータに対して、これらの論理チャネルに対応するＭＣＳ中の最も高い信頼性を持つＭＣＳで変調・符号化を行い、個別サブフレームにより送信された１種の論理チャネルのデータに対して、当該論理チャネルに対応するＭＣＳで変調・符号化を行うための変調符号化ユニット１２１と、
前記変調符号化ユニット１２１で符号化処理された後の、同一伝送チャネルにマッピングされた各論理チャネルデータを、当該伝送チャネルにより端末に送信するための送信ユニット１２２と、
を備えることが好ましい。
【００８０】
図１０に示すように、例えば端末のような、本発明の実施例に係るデータ受信装置は、
ネットワーク側に通知された、且つ同一伝送チャネルにマッピングされた多種類の論理チャネル中の論理チャネルと変調・符号化方式ＭＣＳ又はＭＣＳのインデックスとの対応関係を、取得するための対応関係取得ユニット２１と、
前記対応関係取得ユニット２１により取得された対応関係に基づき、ネットワーク側が同一伝送チャネルにより多種類の論理チャネルデータを送信する時に用いたＭＣＳを、確定するためのＭＣＳ確定ユニット２２と、
前記ＭＣＳ確定ユニット２２により確定されたＭＣＳに基づき、当該論理チャネルのデータを復調・復号するための処理ユニット２３と、
を備える。
【００８１】
説明すべきことは、前記実施例において、複数の論理チャネルが同一伝送チャネルにマッピングされた時、端末がいくつかの論理チャネルのデータのみを受信したい場合、ＭＣＳ確定ユニットが、受信したい論理チャネルに対応するＭＣＳのみを確定できることである。
【００８２】
前記対応関係取得ユニット２１は、報知制御チャネルＢＣＣＨにより、ネットワーク側に通知された、且つ同一伝送チャネルにマッピングされた多種類の論理チャネル中の論理チャネルとＭＣＳとの対応関係を取得する。
【００８３】
前記対応関係取得ユニット２１は、報知制御チャネルＢＣＣＨにより、ネットワーク側に確定された特定論理チャネルとＭＣＳ又はＭＣＳのインデックスとの対応関係を取得し、また前記特定論理チャネルにより、当該特定論理チャネル以外の、同一伝送チャネルにマッピングされた論理チャネルとＭＣＳ又はＭＣＳのインデックスとの対応関係を取得する。
【００８４】
更に、端末が当該論理チャネルのデータを復調・復号する前に、ネットワーク側に送信された、且つ前記多種類の論理チャネルにそれぞれ占用されたサブフレーム数及び／又はサブフレーム番号を、取得するための第１取得ユニットを備える。
【００８５】
前記処理ユニット２３は、論理チャネルのデータに対して、対応するＭＣＳで復調・復号を行う。
【００８６】
前記処理ユニット２３は、同一サブフレームにより送信された多種類の論理チャネルのデータに対して、当該多種類の論理チャネルにそれぞれ対応するＭＣＳ中の最も高い信頼性を持つＭＣＳで復調・復号を行い、個別サブフレームにより送信された１種の論理チャネルデータに対して、当該論理チャネルに対応するＭＣＳで復調・復号を行う。
【００８７】
本発明の実施例に係る通信システムは、基地局と少なくとも１つの端末を備えることが好ましい。
【００８８】
基地局は、多種類の論理チャネルを同一伝送チャネルにマッピングする時に必要な多種類の変調・符号化方式ＭＣＳを確定し、また、論理チャネルとＭＣＳとの対応関係を端末に通知し、当該伝送チャネルに必要なＭＣＳにより、当該伝送チャネルにマッピングされた論理チャネルのデータを変調・符号化した後、当該伝送チャネルにより端末に送信する。論理チャネルとＭＣＳとの対応関係は、論理チャネルとＭＣＳインデックスとの対応関係により示される。
【００８９】
端末は、基地局に送信された論理チャネルとＭＣＳとの対応関係を取得し、当該対応関係に基づき、論理チャネルのデータに使用されたＭＣＳを確定し、確定されたＭＣＳに基づき、対応する論理チャネルのデータを復調・復号する。
【００９０】
また、基地局と端末は、前記ネットワーク側と端末側の間の各種実現方式により通信することができ、ここで説明を省略する。
【００９１】
以上のように、本発明の実施例において、ネットワーク側は、多種類の論理チャネルが同一伝送チャネルにマッピングされた時に必要な多種類の変調・符号化方式ＭＣＳを確定し、また、論理チャネルとＭＣＳ又はＭＣＳのインデックスとの対応関係を端末に通知し、ネットワーク側は、当該伝送チャネルに必要なＭＣＳにより、当該伝送チャネルにマッピングされた論理チャネルのデータを変調・符号化した後、当該伝送チャネルにより端末に送信することにより、ＭＢＭＳに関連する多種類の論理チャネルが同一伝送チャネルにマッピングされた場合、当該伝送チャネルが多種類のＭＣＳを使用することができ、多種類の論理チャネルデータの伝送品質要求を満たすことができる。
【００９２】
もちろん、当業者にとっては、本発明の要旨と範囲を逸脱せず、本発明に対して各種の変更と変形を行うことができる。そして、これらの変更と変形は、本発明の請求の範囲及び技術の範囲内にあれば、本発明もこれらの変更と変形を含む。
【図１】
0005356595.tif 000002
【図２】
0005356595.tif 000003
【図３】
0005356595.tif 000004
【図４】
0005356595.tif 000005
【図５】
0005356595.tif 000006
【図６】
0005356595.tif 000007
【図７】
0005356595.tif 000008
【図８】
0005356595.tif 000009
【図９】
0005356595.tif 000010
【図１０】
0005356595.tif 000011